(57)【要約】【課題】地震対策が充分に実施されていない。【解決手段】５面の面形成体３、3a…を組み立てて構成される前面開口の箱状の地震避難シェルターであって、面形成体３、3a…は鋼材製の四角枠５から成ると共に、四角枠５の４辺の枠体４、4a…同志を着脱自在な連結材７、7a…で接合して、５面の面形成体３、3a…でシェルター１を組み立て自在と成すことによって、耐震性を有するシェルター内に避難し、最重要の人身への重大災害を防止、回避する。【選択図】図４
2007132104.tif 000002
【特許請求の範囲】
【請求項１】
５面の面形成体を組み立てて構成される前面開口の箱状の地震避難シェルターであって、
面形成体は鋼材製の四角枠から成ると共に、
四角枠の４辺の枠体同志を着脱自在な連結材で接合して、５面の面形成体でシェルターを組み立て自在と成した
ことを特徴とする地震避難シェルター。
【請求項２】
２面の面形成体を連結する連結材は着脱自在なボルトと四角枠の枠体に設けた螺入部から成り、
一方の面形成体の枠体は断面筒状と成して螺入部を内装すると共に、他方の面形成体の枠体に挿入孔を設け、
ボルトの頭部は他方の面形成体の内部に配置すると共に、ボルトの螺子部を挿入孔に挿通して一方の面形成体の枠体の螺入部に螺合させた
ことを特徴とする請求項１記載の地震避難シェルター。
【請求項３】
連結される２面の面形成体の枠体を共に断面筒状と成し、一方の面形成体の枠体に螺入部を設けると共に、他方の面形成体の枠体の挿通孔に挿通筒体を設けた
ことを特徴とする請求項２記載の地震避難シェルター。
【請求項４】
四角枠の内部に鋼材製の内部補強材を設けて面形成体を構成した
ことを特徴とする請求項１、２又は３記載の地震避難シェルター。
【請求項５】
底面形成体上に敷板を設けると共に、天井面形成体上に天井板を設けた
ことを特徴とする請求項１、２、３又は４記載の地震避難シェルター。
【発明の詳細な説明】
【技術分野】
【０００１】
本発明は、耐震機能を有した地震避難シェルターに関し、詳しくは、テーブル下方、居室空間、押入内部などの空間（建屋内空間）に設置する地震避難シェルターに関する。
【背景技術】
【０００２】
近年、地震国日本では大地震が多発し、近い将来では東海大地震などの巨大地震の発生が予測されている。
大地震発生時には、家屋、事務所などの建屋の倒壊、半壊や、家具、収納棚などの転倒、或いは、家電製品、小型家具、収納物品などの飛来、落下などによる人的災害が発生する。
【０００３】
この改善策として、建屋の耐震化、家具などの転倒防止、物品の落下防止などに対応する取り組みが徐々に実施される様になって来た。
しかしながら、建屋の耐震化は費用、期間の点などから、家具の転倒防止や物品の落下防止は、対象物品が多数の点などから、充分に実施されていないのが現況である。
【０００４】
研究開発段階や出願段階で先行技術調査を行っておらず、記載すべき先行技術文献を知りません。
【発明の開示】
【発明が解決しようとする課題】
【０００５】
本発明は、防災対策における最重要課題である人的災害を簡易に回避する様にした地震避難シェルターを提供するものである。
【課題を解決するための手段】
【０００６】
本発明は、上記従来技術に基づく、地震対策が充分に実施されていない課題に鑑み、５面の面形成体を組み立てて構成される前面開口の箱状の地震避難シェルターであって、面形成体は鋼材製の四角枠から成ると共に、四角枠の４辺の枠体同志を着脱自在な連結材で接合して、５面の面形成体でシェルターを組み立て自在と成すことによって、耐震性を有するシェルター内に避難し、最重要の人身への重大災害を防止、回避する様にして、上記課題を解決する。
又、地震避難シェルターは組み立て自在と成して建屋内空間に設置し、又連結材の配置、枠材の構成等で機能強化、使用状況向上を図っている。
【発明の効果】
【０００７】
要するに本発明は、地震避難シェルターは５面の面形成体を組み立てて構成される前面開口の箱状としたので、地震時に前面開口からシェルターに入り込んで迅速に緊急避難することが出来る。
面形成体は鋼材製の四角枠から成したので、上下左右全方向に強度を有していることにより、転倒家具などが人体を直撃せず保護され、重大な人身災害を防止することが出来、又四角枠の４辺の枠体同志を着脱自在な連結材で接合して、５面の面形成体でシェルターを組み立て自在と成したので、鋼材製のシェルターは重量を有していても、部材分割して搬入し建屋内空間で組み立てたり、分解、組立により設置場所を変更することが出来る。  
【０００８】
２面の面形成体を連結する連結材は着脱自在なボルトと四角枠５の枠体に設けた螺入部から成したので、５面の面形成体を簡易、強固に組み立てることが出来る。
一方の面形成体の枠体（被接合枠）は断面筒状と成したので、強度向上と軽量化を図ることが出来、枠体に螺入部を内装したので、断面筒状の枠体の強化、螺入部の非突出化および長寸による連結強化を図ることが出来、又他方の面形成体の枠体（接合枠）に挿入孔を設けたので、ボルトの螺子部の挿通で２本の枠体を容易に接合することが出来る。
ボルトの頭部は他方の面形成体の内部に配置すると共に、ボルトの螺子部を挿入孔に挿通して一方の面形成体の枠体の螺入部に螺合させたので、ボルトの頭部はシェルターの内外に突出せず、人身などに引っ掛からず安全性を確保してボルトで連結固定することが出来る。
【０００９】
連結される２面の面形成体の枠体を共に断面筒状と成し、一方の面形成体の枠体に螺入部を設けると共に、他方の面形成体の枠体の挿通孔に挿通筒体を設けたので、断面筒状で内部が空間の枠体の補強を図ることが出来る。
【００１０】
四角枠の内部に鋼材製の内部補強材を設けて面形成体を構成したので、５面の面形成体を強化することが出来る。
又、底面形成体上に敷板を設けたので、一時居住性を向上することが出来、又天井面形成体上に天井板を設けたので、落下物の直撃を防止することが出来たり、物品を載置することが出来る等その実用的効果甚だ大である。
【発明を実施するための最良の形態】
【００１１】
以下、本発明の一実施形態を図面に基づいて説明する。
図１、２に示す様に、本発明に係るシェルター１は耐震性、耐震機能を有しており、テーブル下方、居室空間、押入内部などの空間（建屋内空間）に設置され、地震時に緊急、一時的に避難するものである。
シェルター１は前面開口２を有する箱状であって、図３、４に示す様に、シェルター１は５面（底面、天井面、背面および２側面）の厚さを有した面形成体３、3a…を組み立てて構成されている。
【００１２】
５面夫々の面形成体３、3a…は、断面角筒状の鋼材製の枠体４、4a…を４辺として矩形状に溶接接合した厚さを有した四角枠５と、該四角枠５の内部に設けた内部補強材６、6aで構成している。
内部補強材６、6aは枠体４、4a…と同材質のものから成り、図３の底面形成体３に示す様に、対向２辺（前後２辺）の枠体４、4a…間にはり状に前後方向で平行に２本の内部補強材６、6aを溶接したり、天井面形成体3a、背面形成体3bなどに示す様に、枠体４、4a…の直角接合部間に筋交い状に交差させて２本の内部補強材６、6aを溶接接合している。
【００１３】
図４に示す様に、５面の面形成体３、3a…同志は、その四角枠５同志を着脱自在な連結材７、7a…で接合自在と成して、前面開口２を有した箱状のシェルター１に組み立て自在と成している。
図４、７（ａ）に示す様に、連結材７、7a…は着脱自在なボルト８と四角枠５の断面角筒状の枠体４、4a…に内装した螺入部９から成り、ボルト８の頭部10は厚さを有する面形成体３、3a…の内部に配置する様にしている。
詳細としては、組み立て接合される２本の枠体４、4a…を、組み立て後において、隣接する枠体４、4a…同志との関係では内側に位置して、ボルト８の頭部10が接する枠体４、4a…を接合枠11と、隣接する枠体４、4a…同志との関係では外側に位置して、ボルト８の螺子部12が螺子結合される枠体４、4a…を被接合枠13と夫々成し、内側の接合枠11に挿通孔14を、外側の被接合枠13に螺入部９を対応位置で夫々設けている。
【００１４】
一方の面形成体３、3a…の枠体４、4a…における被接合枠13に設けた螺入部９は、内部が螺刻されてボルト８の螺子部12が螺合する円筒状で、ボルト８の螺入方向（枠体４、4a…が水平箇所では上下方向で、枠体４、4a…が立設箇所では水平方向）で被接合枠13の枠体４、4a…に貫通状態で溶接し、螺入部９は枠体４、4a…に内装されている。
又、他方の面形成体３、3a…の枠体４、4a…における接合枠11に設けた挿通孔14には、挿通筒体15を設けても良く、具体的には、挿通筒体15は内径がボルト８の螺子部12より大径で、内部が螺刻されずボルト８の螺子部12等が挿通される無螺子孔を有する円筒状で、ボルト８の螺入方向で接合枠11の枠体４、4a…に貫通状態で溶接し、挿通筒体15は枠体４、4a…に内装されている。
尚、挿通筒体15は省略しても良く、単なる挿通孔14としても良い。
【００１５】
５面の面形成体３、3a…中、底面形成体３、天井面形成体3aでは、接合される全ての枠体４、4a…が被接合枠13で螺入部９が設けられると共に、背面形成体3b、側面形成体3c、3dでは、上下の枠体４、4a…が接合枠11で挿通孔14、挿通筒体15を設けている。
又、図示のものでは、背面形成体3bの幅を底面形成体３、天井面形成体3aの幅より、枠体４、4a…の幅分だけ短くしており、背面形成体3bにおける立設した枠体４、4a…は接合枠11で挿通孔14、挿通筒体15を設け、背面形成体3bと接合される側面形成体3c、3dにおける立設した枠体４、4a…は被接合枠13で螺入部９を設けている。
【００１６】
次に本発明に係る地震避難シェルターの組み立て方式について説明する。
図４に示す様に、５面の面形成体３、3a…の箱状組み立て時には、他面の面形成体３、3a…における２本の枠体４、4a…（一方が接合枠11で他方が被接合枠13）を接合する時に、ボルト８の頭部10が面形成体３、3a…の内部に配置されてシェルター１から外部突出しない様に、ボルト８は接合枠11側（隣接する枠体４、4a…同志では内側）からで、面形成体３、3a…の四角枠５の内部から外側に向けて、接合枠11の挿通筒体15にボルト８の螺子部12を挿通すると共に、被接合枠13の螺入部９に螺入して２本の枠体４、4a…を接合し、螺着、緊締している。
底面形成体３への背面形成体3bの組み立てに際しては、底面形成体３の四角枠５の後方辺の枠体４、4a…上に背面形成体3bの四角枠５の下辺の枠体４、4a…を載置し、背面形成体3bの内部側から背面形成体3bの接合枠11の挿通筒体15にボルト８の螺子部12を下方側に挿通し、螺子部12を底面形成体３の被接合枠13の螺入部９に螺入し、同様に、底面形成体３に側面形成体3c、3dを組み立てる。
底面形成体３に立設された背面形成体3bと側面形成体3c、3dの組み立てに際しては、背面形成体3bの内部側から背面形成体3bの接合枠11の挿通筒体15にボルト８の螺子部12を水平外側方向（側面形成体3c、3dの方向）に挿通し、螺子部12を側面形成体3c、3dの被接合枠13の螺入部９に螺入する。
天井面形成体3aの組み立てに際しては、背面形成体3b、側面形成体3c、3dの内部側から背面形成体3b等の接合枠11の挿通筒体15にボルト８の螺子部12を上方に挿通し、螺子部12を天井面形成体3aの被接合枠13の螺入部９に螺入する。
【００１７】
尚、背面形成体3bの幅を底面形成体３、天井面形成体3aの幅より、枠体４、4a…の幅分だけ狭くし、側面形成体3c、3dの奥行き長さを底面形成体３、天井面形成体3aの奥行き長さと同一とした場合を説明したが、背面形成体3bの幅を底面形成体３、天井面形成体3aと同一と成し、側面形成体3c、3dの奥行きを枠体４、4a…の幅分だけ短くしても良い。
この場合には、背面形成体3bの立設した枠体４、4a…を被接合枠13と成すと共に、側面形成体3c、3dの立設した枠体４、4a…を接合枠11と成し、接合時には側面形成体3c、3dの内部から後方側の背面形成体3bにボルト８を挿通、螺入する。
【００１８】
図１、４に示す様に、５面の面形成体３、3a…は強度の観点から鋼材製のものであるが、底面形成体３および天井面形成体3a上に木製や合成樹脂製などの敷板16および天井板17を夫々載置している。
又、図示していないが、背面形成体3bおよび側面形成体3c、3dの外側に側板を設けても良く、特に、居室にシェルター１をセットする時には、敷板16、天井板17、側板を化粧材とすることが好ましい。
又、敷板16などは面形成体３、3a…に固定することが好ましく、接着式としたり、敷板16などの板材に座ぐりを設けて接合螺子の頭部を非突出とすることが好ましい。
【００１９】
次に本発明に係る地震避難シェルターの作用について説明する。
５面の面形成体３、3a…を分割状態で建屋内空間に搬入し、ボルト８などで前面開口２を有した箱状にシェルター１を組み立て、日常生活の妨げとならず、緊急時に迅速に入り込み可能な場所、例えば、テーブル下方、居室空間、押入内部などの建屋内空間に設置する。
地震発生時には、シェルター１の前面開口２から内部に入り込んで、揺れが収まるまで避難する。
尚、居室空間に設置する場合は、天井面形成体3aに天井板17を設けて、テレビその他の物品の設置場所としても良く、押入内部に設置する場合は、押入の出入口扉を開放状態とすることが好ましい。
【００２０】
次に、シェルター１の強度について説明する。
シェルター１は箱状鋼材製で相当な強度を有し、面形成体３、3a…の四角枠５における枠体４、4a…を断面筒状と成したり、内部補強材６、6aを設けているため、強靱な強度を有し、天井落下や家具の転倒落下などでもシェルター１は原型を維持し、避難した人身を保護する。
部分的な強度に関しては、第１実施形態のシェルター１、後述する第２実施形態のシェルター１は共に、１２辺全ての稜線部に、少なくとも１本の断面筒状の枠体４、4a…が配置され、強度を確保している。
又、前面開口２側と奥方側を比較すると、奥方側では背面形成体3bに内部補強材６、6aが設けられていることと、背面形成体3bと側面形成体3c、3dの立設した断面筒状の枠体４、4a…が併設されていることにより、奥方側の強度が高く、避難時には奥方側へ入り込むことが好ましい。
【００２１】
次に、図５、６に示す第２実施形態について説明する。
第２実施形態は第１実施形態のものに比して強度的には略同一で製造簡易化、軽量化したものであり、同一箇所についての説明は省略する。
強度を最も必要とする方向は上下方向であるので、枠体４、4a…の立設箇所では断面筒状と成しているが、水平方向の強度は上下方向に比して低下させても何ら問題はない。
枠体４、4a…の水平箇所では底面形成体３、天井面形成体3aと背面形成体3b、側面形成体3c、3dの水平の枠体４、4a…が隣接しているため、第２実施形態における背面形成体3b、側面形成体3c、3dの水平の枠体４、4a…は第１実施形態の断面筒状に代えて、板厚の板材としている。
尚、これらの水平の枠体４、4a…は接合枠11であり、第１実施形態では挿通筒体15を設けていたが、第２実施形態では挿通孔14を設けている。
又、筋交いの内部補強材６、6aを枠体４、4a…より若干小径のものとしたり、内部補強材６、6aの端部の溶接対象を枠体４、4a…の接合角部から平行２辺の枠体４、4a…の端部としても良い。
【図面の簡単な説明】
【００２２】
【図１】本発明に係る地震避難シェルターの正面図である。
【図２】敷板、天井板を省略した図１の平面図である。
【図３】５面の面形成体を示す展開図である。
【図４】組み立て状況を示す正面図である。
【図５】他例のシェルターの５面の面形成体を示す展開図である。
【図６】他例のシェルターの組み立て状況を示す正面図である。
【図７】ボルトによる連結状態を示す要部拡大断面図である。
【符号の説明】
【００２３】
１        シェルター
２        前面開口
３、3a…  面形成体
４、4a…  枠体
５        四角枠
６、6a    内部補強材
７、7a…  連結材
８        ボルト
９        螺入部
10        頭部
11        接合枠
12        螺子部
13        被接合枠
14        挿通孔
15        挿通筒体
16        敷板
17        天井板17
【図１】
2007132104.tif 000003
【図２】
2007132104.tif 000004
【図３】
2007132104.tif 000005
【図４】
2007132104.tif 000006
【図５】
2007132104.tif 000007
【図６】
2007132104.tif 000008
【図７】
2007132104.tif 000009